(57)【特許請求の範囲】
【請求項１】
キッチン内部に設置収納するビルトイン式生ごみ処理機において、処理機本体と、前記処理機本体の下部に設けた伸縮レール体と、前記伸縮レール体に固定され、前記処理機本体より出し入れ自在な構成とした前記前面外郭パネルと、前記前面外郭パネルに着脱自在に設けた生ごみの収納容器とを備え、キッチン扉を前記処理機本体の前面外郭パネルとして共有した構成とすることで、前記キッチン扉の開閉に連動して、前記収納容器を前記処理機本体から出し入れ可能としたビルトイン式生ごみ処理機。
【請求項２】
前面外郭パネル裏面に設けた嵌合部と、収納容器に設けた被嵌合部との嵌合により前記収用容器を前記前面外郭パネルに着脱可能に構成した請求項１記載のビルトイン式生ごみ処理機。
【請求項３】
嵌合部は、上方を開口とする略Ｕ字状に構成した請求項２記載のビルトイン式生ごみ処理機。
【請求項４】
被嵌合部を収納容器の外郭外周部に構成した請求項２または３に記載のビルトイン式生ごみ処理機。
【発明の詳細な説明】
【技術分野】
【０００１】
本発明は、台所等で出る生ごみを処理するキッチンに設置収納するビルトイン式生ごみ処理機に関するものである。
【背景技術】
【０００２】
従来のビルトイン式生ごみ処理機の構成について、図７および図８を用いて説明する。１０１は生ごみ処理機本体であり、キッチン１０２のシンク部１０３下方に設けたディスポーザー１０５並びに排水管１０６と接続して設置収納するものである。通常の使用状態においては、１０４に示すキッチン扉にて閉ざされた収納形態となるものである。また、前記処理機本体１０１には、生ごみの回収を行うための収納容器１０７が着脱自在に設けられ、係止手段１０８にて着脱時の固定を行うものであった。
【特許文献１】特開２００５−６６４７８号公報
【発明の開示】
【発明が解決しようとする課題】
【０００３】
しかしながら上記従来の構成では、処理機本体１０１からの収納容器１０７の着脱においては、キッチン１０２に設けられた扉１０４の開放操作ならびに、係止手段１０８の解除を行わなければならず、非常に手間を与える構成となっていた。
【０００４】
本発明は上記課題を解決するもので、使用者が定期的に操作を行う収納容器１０７の着脱において、操作数の低減を図り、使用性の良いビルトイン式生ごみ処理機を提供することを目的とする。
【課題を解決するための手段】
【０００５】
上記課題を解決するために本発明は、キッチン内部に設置収納するビルトイン式生ごみ処理機において、処理機本体と、前記処理機本体の下部に設けた伸縮レール体と、前記伸縮レール体に固定され、前記処理機本体より出し入れ自在な構成とした前記前面外郭パネルと、前記前面外郭パネルに着脱自在に設けた生ごみの収納容器とを備え、キッチン扉を前記処理機本体の前面外郭パネルとして共有した構成とすることで、前記キッチン扉の開閉に連動して、前記収納容器を前記処理機本体から出し入れ可能としたことにより、キッチン扉の開閉操作にて収納容器の着脱を達成させるものである。この結果、操作数の低減による使用性の向上を得たビルトイン式生ごみ処理機を提供できる。
【発明の効果】
【０００６】
本発明のキッチンに設置収納するビルトイン式生ごみ処理機は、処理機本体に設けた収納容器の着脱を、キッチン扉に連動することにより、着脱操作数の低減が可能となり使用性の向上が図れるものとなる。
【発明を実施するための最良の形態】
【０００７】
第１の発明は、キッチン内部に設置収納するビルトイン式生ごみ処理機において、処理機本体と、前記処理機本体の下部に設けた伸縮レール体と、前記伸縮レール体に固定され、前記処理機本体より出し入れ自在な構成とした前記前面外郭パネルと、前記前面外郭パネルに着脱自在に設けた生ごみの収納容器とを備え、キッチン扉を前記処理機本体の前面外郭パネルとして共有した構成とすることで、前記キッチン扉の開閉に連動して、前記収納容器を前記処理機本体から出し入れ可能としたことにより、キッチン扉の開放操作で収納容器の装着を可能とし、操作の数の低減による使用性の向上が達成できるものとなる。
【０００８】
第２の発明は、特に第１の発明において、
前面外郭パネル裏面に設けた嵌合部と、収納容器に設けた被嵌合部との嵌合により前記収用容器を前記前面外郭パネルに着脱可能に構成したことにより、視認性の良い位置での着脱が達成できる。よって、より使用性の向上が得られるものとなる。
【０００９】
第３の発明は、特に第２の発明において、嵌合部を、上方を開口とする略Ｕ字状に構成したことにより、視認性の良い位置での着脱構成の達成に加え、上部からの挿入装着を可能とする。結果、被装着部品である収納容器に傾きを与えることなく操作できるため、使
用性の向上と共に内部乾燥ごみのこぼれ防止を達成するものとなる。
【００１０】
第４の発明は、特に第２または３の発明において、被嵌合部を収納容器の外郭外周部に構成したことにより、着脱部品の最大嵌合寸法が得られるものとなり、効率的に嵌合部強度を向上させるものとなる。
【００１１】
以下、本発明の実施の形態について、図面を参照しながら説明する。なお、この実施の形態によって本発明が限定されるものではない。
【００１２】
（実施の形態１）
図１は本発明の実施の形態１のビルトイン式生ごみ処理機の概略構成図である。図２はキッチン２への処理機本体１の設置構成図である。図３は処理機本体１の詳細構成図である。以下、ビルトイン式生ごみ処理機の概略構成より順次詳細に構成を説明する。
【００１３】
図１に示すように、生ごみは、キッチン内に設けられたシンク部３より投入された後、ディスポーザー４にて粉砕され、下方に設置した処理機本体１に搬送される。搬送された生ごみは、処理機本体１上部に設けた固液分離装置１１によって固体分と液体分に分離されると共に、液体分は排水管５を通り下水へ排水され、残留する固体分は処理機本体１に配設した収納容器１５にて回収される。前記回収された固体分は収納容器１５内で蓄積され送風空気によって乾燥処理されるものであり、乾燥処理後の送風空気は処理機本体１の外部へ排気として放出されると共に、前記収納容器１５に回収した固形分（乾燥ごみ）は、満杯時に使用者による処理機本体１外への廃棄処理を必要とする構成である。
【００１４】
次に具体的なキッチン２への処理機本体１の設置構成について図２を用いて説明する。
【００１５】
１は処理機本体であり、台所に設けたキッチン２のシンク部３下方内部に設置するものである。設置においては、同じくキッチン２内のシンク部３下部に設けたディスポーザー４、ならびに排水管５を接続したものであり、加えてキッチン２の扉を処理機本体１の前面外郭パネル６として共有した構成においてキッチン２内へ設置するものである。
【００１６】
次に処理機本体１の詳細な構成について図３を用いて説明する。
【００１７】
７は処理機本体１の内部中央に位置しフレームとして設けられた本体容器であり、前方を開口し、内部に別部品で構成した収納容器１５を着脱自在に装着している。上部には、前記ディスポーザー４と連結する固液分離装置１１が設けられ、その周辺には、乾燥を目的とする送風空気の発生を行うため為の送風機１２および、脱臭手段１３を有した排気手段１４が取付けられている。６はキッチンの扉と共有する処理機本体１の前面外郭パネルであり、前記本体容器７の下部に設けた伸縮レール体１６に固定され、キッチン２内部に設置された処理機本体１より引出し自在な構成としている。また前面外郭パネル６の裏面には、前記収納容器１５の取付け自在とする嵌合部が設けられ取付けられている。
【００１８】
次に構成における動作と作用について説明する、前記収納容器１５の取付けにおいて、キッチンの扉と共有し処理機本体１より引出し自在な構成する前面外郭パネル６に取付けたことにより、キッチン扉との開閉動作に連動して、前記収納容器１５を処理機本体１から取出し及び、取付けを行うことが可能となる。その結果、操作性の簡素化が図れ使用性の向上が得られるものとなる。
【００１９】
図４は、収納容器１５の前面外郭パネル６への取り付け状態を示す斜視図、図５は処理機本体１の概観図である。
【００２０】
図４において、６はキッチンの扉と共有する処理機本体１の前面外郭パネルであり、前記本体容器７の下部に設けた伸縮レール体１６に固定されている。１７は収納容器１５を取付けるための嵌合部であり、上方を開口とした略Ｕ字状に構成し開口入口部１８において、挿入案内面となる傾斜部１９を形成している。図５において、処理機本体１の収納容器１５の着脱部２０において、その入口部に挿入案内面となる傾斜部２１を形成すると共に、収納容器１５の外郭外周部２２に設けた被嵌合部１５ａで嵌合させる構成としている。また、収納容器１５は把手１５ｂを有しており、この把手１５ｂを持って、持ち上げることにより、容易に前面外郭パネル６から取り外すことが出来る。
【００２１】
また、嵌合部１７を略Ｕ字状に構成することにより、収納容器１５を前面外郭パネル６へ取付ける際、視認性の良い位置での着脱構成の達成に加え、上部からの挿入装着を可能とする。結果、被装着部品である収納容器１５に傾きを与えることなく操作できるため、使用性の向上と共に内部乾燥ごみのこぼれ防止を達成するものとなる。また、傾斜部１９を形成することにより、着脱性が向上する。また、傾斜部２１を形成することにより前記同様効果が得られ、また、収納容器１５の外郭外周部２２で嵌合させることにより、収納容器１５の最大嵌合寸法が得られるものとなり、効率的に嵌合部強度を向上させるものとなる。
【００２２】
（実施の形態２）
図６は、本発明の第２の実施の形態における処理機本体１の概観図である。
【００２３】
以下、上記実施の形態と同一構成部品については同一符号を付して説明を省略する。
【００２４】
図６において、処理機本体１の収納容器１５着脱部２０において、その入口部及び装着摺動面に転がり手段２３を設けており。次に構成における動作と作用について、繰返し着脱される収納容器１５の磨耗を防止する効果が得られるものとなり耐久性を向上することができる。
【産業上の利用可能性】
【００２５】
以上のように、本発明にかかるキッチンに組み込み可能なビルトイン生ごみ処理機は、操作性の簡素化が図れ使用性の向上が得られるものとなる。
【図面の簡単な説明】
【００２６】
【図１】本発明の実施形態１におけるビルトイン式生ごみ処理機の概略構成図
【図２】（ａ）同ビルトイン式生ごみ処理機のキッチンへの設置構成図（ｂ）同ビルトイン式生ごみ処理機の概観図
【図３】同ビルトイン式生ごみ処理機の詳細構成図
【図４】（ａ）同ビルトイン式生ごみ処理機の収納容器を取り外した状態を示す斜視図（ｂ）同ビルトイン式生ごみ処理機の収納容器を取り付けた状態を示す斜視図
【図５】本同ビルトイン式生ごみ処理機の収納容器挿入部の要部斜視図
【図６】本発明の実施の形態２における処理機本体の概観図
【図７】従来のキッチンへの処理機本体の設置構成図
【図８】（ａ）従来の処理機本体の斜視図（ｂ）同収納容器を取り外した状態を示す斜視図
【符号の説明】
【００２７】
１      処理機本体
２      キッチン
６      前面外郭パネル（キッチン扉）
１５    収納容器
１５ａ  被嵌合部
１７    嵌合部
【図１】
0005083028.tif 000002
【図２】
0005083028.tif 000003
【図３】
0005083028.tif 000004
【図４】
0005083028.tif 000005
【図５】
0005083028.tif 000006
【図６】
0005083028.tif 000007
【図７】
0005083028.tif 000008
【図８】
0005083028.tif 000009